(57)【要約】【課題】不安感を与えることなく目薬液を容易にさすことができる新しい斬新な、目薬容器を提供する。【解決手段】目薬液を収容する空間１１ａを画成し、空間１１ａに目薬液を注入する注入路１１ｂ及び空間１１ａの目薬液を注出する注出路１１ｃを画成した収容部１１と、収容部１１の注出口１１ｄ側に装着されたクッション当接部材１２と、収容部１１の注出口１１ｄを塞ぐ封止部材１３とからなる。封止部材１３を外すとクッション当接部材１２は収容部１１の注出口１１ｄと連通する流路を形成する。クッション当接部材１２を目頭に宛がうことで、空間１１ａに収容した目薬液は、注出路１１ｄを流れてクッション当接部材１２の中空部１２ｂに流れ、クッション当接部材を宛がう目頭に目薬液が注出する。【選択図】図３
2008036096.tif 000002
【特許請求の範囲】
【請求項１】
目薬液を収容するための空間及び該空間から目薬液を注出する注出路を画成した収容部と、該収容部の注出口側に装着されるクッション当接部材と、上記収容部の注出口を塞ぐ封止部材とを備え、
上記クッション当接部材に上記収容部の注出口と連通する流路が形成され、該クッション当接部材を宛がう目頭に目薬液を注出することを特徴とする、目薬容器。
【請求項２】
複数の目薬液をそれぞれ収容するための空間及び該空間から目薬液を注出する注出路を画成した収容部と、該収容部の注出口側に装着されるクッション当接部材と、上記収容部の注出口を塞ぐ封止部材とを備え、
上記クッション当接部材に上記収容部の注出口と連通する流路が形成され、該クッション当接部材を宛がう目頭に複数の目薬液を混合しながら注出することを特徴とする、目薬容器。
【請求項３】
目薬液をそれぞれ収容するための空間と該空間から目薬液を注出する注出路とを一対左右対称に画成した収容部と、該収容部の各注出口側に装着されるクッション当接部材と、上記収容部の各注出口を塞ぐ封止部材とを備え、
上記クッション当接部材に上記収容部の注出口と連通する流路が形成され、該クッション当接部材を宛がう目頭に目薬液を注出することを特徴とする、目薬容器。
【請求項４】
前記収容部における注出路の注出口側には受け部が形成され、前記封止部材が該受け部に嵌め込まれることで、注出口が塞がれることを特徴とする、請求項１乃至３の何れかに記載の目薬容器。
【請求項５】
前記封止部材は片状に形成され、前記注出路の注出口側に該封止部材が貼り付けられることで、注出口が塞がれることを特徴とする、請求項１乃至３の何れかに記載の目薬容器。
【請求項６】
前記クッション当接部材は中空円筒形状であることを特徴とする、請求項１乃至３の何れかに記載の目薬容器。
【請求項７】
前記収容部に画成される空間は、一回分の目薬液を収容する大きさであることを特徴とする、請求項１乃至３の何れかに記載の目薬容器。
【発明の詳細な説明】
【技術分野】
【０００１】
本発明は、眼球に目薬を簡単にさすことができる目薬容器に関する。
【背景技術】
【０００２】
眼病治療や予防のための点眼薬を目薬容器に入れて顧客や患者に提供されている。この際用いられている容器はキャップを外すことで容器の点眼部分が露出する構造となっている。顧客や患者である使用者は、一方の手で瞼を強制的に開いて他方の手で容器を持って容器の点眼部分を眼球に近づけて容器を圧搾することで、点眼部分から点眼液を落下させ、眼球表面に点眼液を滴下している。
【０００３】
このような状況下において、特許文献１には、目薬容器の注液口がまつ毛に触れない設定点眼高さで安定的に目薬容器を保持する点眼補助具が開示されている。
【特許文献１】特開２００２−２４８１５７号公報
【発明の開示】
【発明が解決しようとする課題】
【０００４】
しかしながら、従来の目薬容器による点眼は、顔を上方に向けて数センチメートル真上から眼球に目掛けて目薬液を落下させるので、いつ目薬液の水滴が落下してくるのか使用者は分からず、非常に不安感を与える、という課題がある。更に、医師から薬局を経て提供される目薬は次回検診日までに使用する分量が目薬容器に収容されており、また例えばスイミングのあと眼球の消毒として市販されている目薬は１シーズンの分量が収容されており、一日分だけや一回分の目薬を持ち運ぶことができなかった。
【０００５】
本発明は、上記課題に鑑み、使用者に不安感を与えず目薬液を眼球表面に簡単にさすことができる斬新な目薬容器を提供することを目的とする。
【課題を解決するための手段】
【０００６】
上記目的を達成するため、本発明の第１の構成は、目薬液を収容するための空間及び該空間から目薬液を注出する注出路を画成した収容部と、収容部の注出口側に装着されるクッション当接部材と、収容部の注出口を塞ぐ封止部材とを備え、クッション当接部材に収容部の注出口と連通する流路が形成され、クッション当接部材を宛がう目頭に目薬液を注出することを特徴とする。
本発明の第２の構成は、複数の目薬液をそれぞれ収容するための空間及び該空間から目薬液を注出する注出路を画成した収容部と、収容部の注出口側に装着されるクッション当接部材と、収容部の注出口を塞ぐ封止部材とを備え、クッション当接部材に収容部の注出口と連通する流路が形成され、クッション当接部材を宛がう目頭に複数の目薬液を混合しながら注出することを特徴とする。
本発明の第３の構成は、目薬液をそれぞれ収容するための空間と該空間から目薬液を注出する注出路とを一対左右対称に画成した収容部と、収容部の各注出口側に装着されるクッション当接部材と、収容部の各注出口を塞ぐ封止部材とを備え、クッション当接部材に収容部の注出口と連通する流路が形成され、クッション当接部材を宛がう目頭に目薬液を注出することを特徴とする。
上記構成において、収容部における注出路の注出口側には受け部が形成され、封止部材が受け部に嵌め込まれることで、注出口が塞がれるのが好ましい。封止部材は片状に形成され、注出路の注出口側に封止部材が貼り付けられることで、注出口が塞がれることが好ましい。クッション当接部材は、好ましくは中空円筒形状である。さらに、収容部に画成される空間は、一回分の目薬液を収容する大きさに設定されていることが好ましい。
【０００７】
上記構成によれば、収容部の空間に目薬液を収容し、封止部材で収容部の注出口を塞いでおき、使用者が目薬をさす際封止部材を取り外し、クッション当接部材を目頭に宛がうよう顔面に当接させ、収容部に画成された空間から目薬液を注出路を経由して注出口から注出することによりクッション当接部材の注出口に連設した流路を経由して目頭に目薬液を注出することができる。よって、使用者は瞼を強制的に開く必要がなく、いつ目薬が落下してくるかという不安を抱くことがない。また、種類の異なる目薬液を収容部の各空間に収容する第２の構成においては、目薬をさす直前に目薬液を混合させることができる。左右一対の空間に目薬液を収容する第３の構成においては、左右の両眼に略同時に目薬をさすことができる。さらには、収容部に画成した空間を一回分の目薬液を収容する大きさとすることにより、外出先に一つの目薬容器を携帯すればよく、使い捨てタイプとすることもできて利便性に富む。
【発明の効果】
【０００８】
本発明によれば、目薬液を収容する空間を画成した収容部から封止部材を取り外し、クッション当接部材を目頭に宛がい、収容部に画成された空間から目薬液を注出路を経由して注出口から注出することによりクッション当接部材が該注出口に連設した流路を経由して目頭に目薬液を注出することができる。よって、使用者に対して不安感を与えず、眼球に目薬を簡単にさすことができる。
【発明を実施するための最良の形態】
【０００９】
以下、図面を参照して本発明の実施形態を説明する。
本発明の目薬容器の第１形態について説明する。
図１は本発明の第１形態に係る目薬容器１０を示すもので、（Ａ）は斜め上方からの斜視図、（Ｂ）は逆斜め上方からの斜視図である。図２は図１に示す目薬容器１０の分解斜視図、図３（Ａ）は図１に示す目薬容器１０の平面図、（Ｂ）はＸ１−Ｘ２線に沿う断面図である。
第１形態に係る目薬容器１０は、図１〜図３に示すように、目薬液を収容する空間１１ａを画成し、空間１１ａに目薬液を注入する注入路１１ｂ及び空間１１ａの目薬液を注出する注出路１１ｃを画成した収容部１１と、収容部１１の注出口１１ｄ側に装着されたクッション当接部材１２と、収容部１１の注出口１１ｄを塞ぐ封止部材１３とからなる。
【００１０】
収容部１１は、図２及び図３（Ａ）に示すように、略平板状の基部１１ｅと、該基部１１ｅの片面側に大きく略楕円球面状に膨出して目薬液を収容する空間１１ａを形成する膨出部１１ｆと、膨出部１１ｆと同側に膨出して基部１１ｅとで注入路１１ｂを形成する注入路形成部１１ｇと、注入路形成部１１ｇや膨出部１１ｆと同側に膨出して基部１１ｅとで注出路１１ｃを形成する注出路形成部１１ｈとを一体成形してなる。空間１１ａを挟んで注入路１１ｂと注出路１１ｃとが基部１１ｅの長手方向に沿って同軸となるよう、膨出部１１ｆに対して注入路形成部１１ｇと注出路形成部１１ｈとが対峙して略同一軸上に形成されてなる。
【００１１】
注入路１１ｂの空間１１ａ側は空間１１ａと連通している。注入路１１ｂの空間１１ａと逆側は基部１１ｅの一端まで延設して必要に応じて注入口を形成するが、注入口から注入路１１ｂを経由して空間１１ａに目薬液を注入した後は、注入口は熱処理などにより注入口が封鎖されてなる。注出路１１ｃの空間１１ａ側は空間１１ａと連通しており、注出路１１ｃの空間１１ａと逆側は基部１１ｅの他端まで延設して注出口１１ｄを形成する。
なお、収容部１１の注出路側端部１１ｉは、膨出部１１ｆとで空間１１ａを画成する基部１１ｅの部位より厚くしてなり、後述するように、クッション当接部材１２に形成された挿し込み溝部１２ａの幅と同程度に形成され、クッション当接部材１２の受けとして機能する。
【００１２】
膨出部１１ｆは、使用者が指で押圧することで容易に窪むように形成され、膨出部１１ｆの表面を押圧することで空間１１ａ内の目薬液を注出路１１ｃを経由して注出口１１ｄから注出することができる。収納部１１に画成される空間１１ａは、一回分の目薬を注す分量の目薬液を収容できる大きさであり、大きさは約０．０５〜０．２５ｃｍ３の範囲であり、特に、０．０８ｃｍ３程度が好ましい。
【００１３】
クッション当接部材１２は略円筒形状である。クッション当接部材１２で収容部１１に装着される底面側には溝部１２ａが形成される。クッション当接部材１２で逆側の円筒天面側には、断面半球面状に丸みを呈して全周方向に周設された壁部１２ｄで中空部１２ｂが形成され、中空部１２ｂ先端は開口１２ｃを形成する。
【００１４】
封止部材１３は、図２及び図３に示すように、収容部１１の注出口１１ｄを封止するように屈曲した片状に成形されてなる。封止部材１３は、断面コ字状に形成されてなる封止部１３ａと封止部１３ａから延出された引っ張り部１３ｂとで一体成形してなる。封止部１３ａは、注出口１１ｄに対向する対向部１３ｃと、対向部１３ｃの両端から略９０度折り曲げられて引っ張り部１３ｂと逆向きに延設された端部１３ｄ及び１３ｅとを備える。引っ張り部１３ｂは封止する注出口１１ｄの延長線上に延出するように最低限２箇所で屈曲してなる。
【００１５】
ここで、クッション当接部材１２は、原料ゴムに有機発泡剤、架橋剤、軟化剤、補強剤などの添加剤を練り込み、密閉された所定の型内で加硫を行いながら発泡剤の分解により独立した気泡ゴムスポンジで成形される。原料ゴムには、ニトリルゴムなどの合成ゴムや天然ゴムを用いるのが好ましい。これにより気泡ゴムスポンジは、軽く、引き裂き強度が強く、吸湿性が極めて低くなる。よって、クッション当接部材１２の中空部１２ｂは収容部１１の注出口１１ｄに連設されることで収容部１１に収容された目薬液を注出する流路として機能し、クッション当接部材１２は目薬液を吸収しないで、目頭に目薬液を注出することができる。
一方、収容部１１や封止部材１３の材質には、ポリエチレン、ポリプロピレン、ポリエチレンテレフタレートなどの汎用性プラスチックや、ポリエチレンナフタレン、ポリカーボネート、ポリアミド６、ポリサルホンのようなエンジニアリングプラスチックを用いることができるが、収容する目薬液と反応しないことが必要となる。
【００１６】
以上のように構成された目薬容器１０は、収容部１１の基部１１ｅ及び注出路形成部１１ｈに封止部１３ａの各端部１３ｄ及び１３ｅをスポットで接着させることで、収容部１１の注出口１１ｄを封止部１３ａで塞ぎ、収容部１１の注出路側端部１１ｉがクッション当接部材１２の溝部１２ａに挿し込まれ、収容部１１にクッション当接部材１２が装着される。これにより、封止部１３ａを介在させて、クッション当接部材１２の中空部１２ｂが注出口１１ｄに臨んで収容部１１の注出路１１ｃがクッション当接部材１２の中空部１２ｂと連通する。なお、収容部１１に注入口が形成されている場合には、注入口から目薬液を注入し注入路１１ｂを経由して空間１１ａに目薬液が収容され、注入口が熱処理により密閉されるが、注入口に受け部（図示しない）を形成して別の封止部材で栓をして詰め替えすることができる容器としてもよい。収容部１１に注入路が形成されていない場合には、注出口１１ｄから目薬液を注入してから封止部材１３で注出口１１ｄを塞ぐようにしてもよい。
【００１７】
次に、かように目薬液を収容した目薬容器１０の使用方法について説明する。
図４は、図１に示す目薬容器１０の使用方法を説明する概略図である。先ず、使用者は目薬容器１０から封止部材１３を取り外す。次に、使用者は瞼を閉じて目頭１００にクッション当接部材１２の開口側を宛がい、収容部１１の膨出部１１ｆを指で押圧する。すると、膨出部１１ｆが窪んで空間１１ａ内の目薬液が注出路１１ｃ、注出口１１ｄ及びクッション当接部材１２の中空部１２ｂを経由して開口１２ｃから流出し、使用者の目頭１００に流れ込む。よって、目頭１００に注がれた目薬液は使用者が瞬きをすることで眼球表面に広がるので、簡単に目薬液をさすことができる。
【００１８】
以上のように第１形態に係る目薬容器１０を用いることにより、従来のように目薬液を落下させることなく、クッション当接部材１２に形成した中空部１２ｃを経由して使用者の目頭１００に対して目薬液をさすことができる。この目薬液のさし方は、従来のような瞼を開いて目薬液を眼球に落下させる方式とは異なり、クッション当接部材１２の開口１２ｃから目頭１００に注入する。よって、使用者はいつ目薬液が眼球に落下するかという不安感を抱くことなく、安心して目薬をさすことができる。また、従来の落下方式とは異なり、使用者は頸を略９０度曲げて顔面を空や天井に向ける必要がなく、やや前方の上方をみるように頸をやや曲げるだけでよいので安定感がよい。よって、バスや電車などの車中でも転倒などすることなく目薬をさすことができる。また、お年寄りや子供にも難なく適用できる。
【００１９】
次に第２形態について説明する。
図５は本発明の第２形態に係る目薬容器２０を示した斜視図である。図６は図５に示す目薬容器２０の分解斜視図、図７（Ａ）は図５に示す目薬容器２０の平面図、（Ｂ）はＸ３−Ｘ４線に沿う断面図である。
第２形態に係る目薬容器２０も、図５〜図７に示すように、目薬液を収容するための空間２１ａ、空間２１ａに目薬液を注入する注入路２１ｂ及び空間２１ａの目薬液を注出する注出路２１ｃを画成した収容部２１と、収容部２１の注出口２１ｄ側に装着されたクッション当接部材２２と、収容部２１の注出口１１ｄを塞ぐ封止部材２３とからなる。
【００２０】
第２形態に係る目薬容器２０は、収容部２１の注出路２１ｃの注出口側の形状とこの注出口２１ｄを塞ぐ封止部材２３との点で、第１形態に係る目薬容器１０と大きく異なる。以下、異なる点を主として説明する。
収容部２１は、図６及び図７（Ａ）に示すように、略平板状の基部２１ｅと、該基部２１ｅの片面側に大きく略楕円球面状に膨出して目薬液を収容するための空間２１ａを基部２１ｅとで形成する膨出部２１ｆと、両側に僅かに膨出して注入路２１ｂを形成する注入路形成部２１ｇと、注入路形成部２１ｇと同様に両側に僅かに膨出して注出路２１ｃを形成する注出路形成部２１ｈとを一体成形して構成されている。ここで、空間２１ａを挟んで注入路２１ｂと注出路２１ｃとが基部２１ｅの長手方向に沿って同軸となるよう、膨出部２１ｆに対して注入路形成部２１ｇと注出路形成部２１ｈとが対峙して略同一軸上に形成されてなる点は第１形態と同じであるが、注出路２１ｃの注出口２１ｄ側は内径を大きくして受け部２１ｉを形成している。受け部２１ｉには複数、例えば互いに直交するように４箇所に切り欠け部２１ｊが形成されている。これは、後述するように、Ｔ字型に形成された封止部材２３にて封止部２３ａとしての脚部が受け部２１ｉに嵌め込まれる際に受け部２１ｉが外周方向に力を逃がし易くするためである。収容部２１が画成する空間２１ａは第１形態と同様に一回分の目薬液を収容できる大きさでもよいし、第２形態とは異なり、二回分などの複数回だけ、即ち、一日分の目薬液を収容できる大きさでもよい。
【００２１】
封止部材２３は第１形態と異なり、図６に示すように、軸部２３ｂに持ち手部２３ｃを直交させて略Ｔ字型に成形されてなる。軸部２３ｂの端部は外径が大きくなり、封止部２３ａとしての脚部を形成する。
【００２２】
クッション当接部材２２は、第１形態と同様、収容部２１に装着される側の円筒底面側には溝部２２ａが形成され、逆側の円筒天面側には断面半球面状に丸みを呈して周方向に周設された壁部２２ｄで中空部２２ｂが形成され、中空部２２ｂ先端は開口２２ｃを形成する。収容部２１、クッション当接部材２２及び封止部材２３の各材質は、第１形態と同様である。
【００２３】
以上のように構成された目薬容器２０は、収容部２１における注出路２１ｃの注出口側に形成された受け部２１ｉに封止部２３ａを嵌め込むことで、収容部２１の注出口２１ｄを塞ぎ、収容部２１の注出路側端部２１ｋがクッション当接部材２２の溝部２２ａに挿し込まれることで、収容部２１にクッション当接部材２２が装着される。これにより、第１形態と同様、封止部材２３の封止部２３ａを介在させて、クッション当接部材２２の中空部２２ｂが注出口２１ｄに臨んで収容部２１の注出路２１ｃがクッション当接部材２２の中空部２２ｂと連通する。よって、封止部２３ａを受け部２１ｉから外すことで、第１形態と同様の使用方法により、使用者は瞼を閉じて目頭１００にクッション当接部材２２の開口側を宛がい、収容部２１の膨出部２１ｆを指で押圧して目薬容器２０の開口２２ｃから目薬液を流出させて目頭１００に流し込むことで、簡単に目薬液をさすことができる。
【００２４】
次に第３形態について説明する。
図８は、本発明の第３形態に係る目薬容器３０の断面図である。第３形態に係る目薬容器３０は、図８に示すように、目薬液を収容するための空間３１ａを画成する容器本体３４と、容器本体３４の頸部３４ａに開口側から嵌め込まれて空間３１ａ内の目薬液を注出するための流路３１ｂを形成する流路形成部３５と、流路形成部３５の開口側に装着されて中空部３２ｂを形成するクッション当接部材３２と、クッション当接部材３２を被覆しつつクッション当接部材３２の中空部３２ｂに蓋をするキャップ部３３とを備える。
流路形成部３５は、頸部３４ａの中空に挿入される中空円筒状の接続部３５ａと、接続部３５の内径より細い流路３１ｂを形成し外周にクッション当接部材３２を装着する受け部３５ｂと、接続部３５ａと受け部３５ｂとの間で外周壁に形成された鍔部３５ｃとが一体成形してなる。
クッション当接部材３２は略円筒形状で、その装着部３２ａで流路形成部３５の受け部３５ｂに装着される。断面半球面状に丸みを呈して全周方向に周設された壁部３２ｄにより中空部３２ｂが流路３１ｂに連設して形成される。中空部３２ｂ先端は開口３２ｃを形成する。なお、収容部３１、クッション当接部材３２及び封止部材３３の各材質は、第１形態と同様である。
【００２５】
第３形態に係る目薬容器３０は、以上のように、目薬液を収容するための空間３１ａ、空間３１ａへの目薬液の注入及び目薬液の注出を行うための流路３１ｂを画成した収容部３１と、収容部３１の流路３１ｂの注出口側に装着されたクッション当接部材３２とを備え、流路３１ｂにクッション当接部材３２の中空部３２ｂが連設されてなる。よって、第３形態の目薬容器３０においても、第１及び第２形態の場合の使用方法と同様に、先ず、キャップ部３３を回転して容器本体３４の頸部３４ａから外す。次に使用者は瞼を閉じて目頭１００にクッション当接部材３２の開口側を宛がい、収容部３１の容器本体３４を圧搾して目薬容器３０の開口３２ｃから目薬液を流出させて目頭１００に流し込むことで、目の隅々まで万遍なく液が浸透していき、簡単に目薬液をさすことができる。
【００２６】
以上の第１乃至第３形態は、収容部に一種類の目薬液を収容する空間を画成しているが、収容部に二種類の目薬液を収容する各空間を画成した目薬容器を第１形態の変形例として説明する。
図９は第４形態に係る目薬容器４０を示した図であり、（Ａ）は斜め上方からの斜視図、（Ｂ）は逆斜め上方からの斜視図である。図１０は図９に示す目薬容器４０の分解斜視図、図１１（Ａ）は図９に示す目薬容器４０の平面図、（Ｂ）は側面図、図１２（Ａ）はＸ５−Ｘ６線に沿う断面図、（Ｂ）はＸ７−Ｘ８線に沿う断面図である。
第４形態に係る目薬容器４０は、図９〜図１２に示すように、第１の目薬液を収容する第１空間４１ａ及び第２の目薬液を収容する第２空間４１Ａをそれぞれ画成し、第１空間４１ａに第１の目薬液を注入する第１注入路４１ｂ及び第１空間４１ａから第１の目薬液を注出する第１注出路４１ｃ並びに第２空間４１Ａに第２の目薬液を注入する第２注入路４１Ｂ及び第２空間４１Ａから第２の目薬液を注出する第２注出路４１Ｃを画成した収容部４１と、収容部４１の第１注出口４１ｄ及び第２注出口４１Ｄ側に装着されたクッション当接部材４２と、収容部４１の第１注出口４１ｄ及び第２注出口４１Ｄを塞ぐ封止部材４３とからなる。
【００２７】
収容部４１は、図１１及び図１２に示すように、略平板状の基部４１ｅと、基部４１ｅの表面側に大きく略楕円球面状に膨出して第１の目薬液を収容するための第１空間４１ａを基部４１ｅとで形成する第１膨出部４１ｆと、第１膨出部４１ｆと同側に膨出して基部４１ｅとで第１注入路４１ｂを形成する第１注入路形成部４１ｇと、第１注入路形成部４１ｇや第１膨出部４１ｆと同側に膨出して基部４１ｅとで第１注出路４１ｃを形成する第１注出路形成部４１ｈと、基部４１ｅの裏面側に大きく略楕円球面状に膨出して第２の目薬液を収容するための第２空間４１Ａを基部４１ｅとで形成する第２膨出部４１Ｆと、第２膨出部４１Ｆと同側に膨出して基部４１ｅとで第２注入路４１Ｂを形成する第２注入路形成部４１Ｇと、第２注入路形成部４１Ｇや第２膨出部４１Ｆと同側に膨出して基部４１ｅとで第２注出路４１Ｃを画成する第２注出路形成部４１Ｈとを一体成形してなる。ここで、第１空間４１ａを挟んで第１注入路４１ｂと第１注出路４１ｃとが基部４１ｅの長手方向に沿って同軸となるよう、第１膨出部４１ｆに対して第１注入路形成部４１ｇと第１注出路形成部４１ｈとが対峙して略同一軸上に形成されてなる。同様に、第２空間４１Ａを挟んで第２注入路４１Ｂと第２注出路４１Ｃとが基部４１ｅの長手方向に沿って同軸となるよう、第２膨出部４１Ｆに対して第２注入路形成部４１Ｇと第２注出路形成部４１Ｈとが対峙して略同一軸上に形成されてなる。図１１（Ａ）に示すように、略平板状の基部１２ｅの長手方向の中心面を挟んで等距離に、第１注入路４１ｂと第２注入路４１Ｂとが、第１注出路４１ｃと第２注出路４１Ｃとが、それぞれ同方向に延設されてなる。
【００２８】
各注入路４１ｂ及び４１Ｂの空間４１ａ，４１Ａ側は対応する空間４１ａ，４１Ａと連通している。各注入路４１ｂ及び４１Ｂの空間４１ａ，４１Ａと逆側は基部４１ｅの一端まで延設して注入口を形成するが、注入口から注入路４１ｂ，４１Ｂを経由して空間４１ａ，４１Ａに対応する目薬液を注入した後は、注入口は熱処理などにより注入口が封鎖されてなる。
収容部４１の注出路側端部４１ｉは、第１形態と同様、基部４１ｅの厚みを増し、クッション当接部材４２に形成された溝部４２ａの幅と同程度にして、クッション当接部材１２の受けとして機能する。注出路側端部４１ｉはそれぞれ基部４１ｅの表裏面から等距離に長手方向中心軸を挟んで等距離に第１注出口４１ｄ及び第２注出口４１Ｄを画成した注出口部４１ｊが形成され、第１注出路４１ｃの端部が第１注出口４１ｄと連通するよう第１注出路形成部４１ｈの端部が注出口部４１ｊに連設され、第２注出路４１Ｃの端部が第２注出口４１Ｄと連通するよう第２注出路形成部４１Ｈの端部が注出口部４１ｊに連設される。
【００２９】
なお、クッション当接部材４２は、他の形態と同様、収容部４１に装着される側である円筒底面側には溝部４２ａが形成され、逆側の円筒天面側には断面半球面状に丸みを呈するよう全周方向に周設された壁部４２ｄで中空部４２ｂが形成され、中空部４２ｂ先端が開口４２ｃを形成する。封止部材４３は、第１の形態と同様、収容部４１の第１及び第２の注出口４１ｄ，４１Ｄを封止するように屈曲した片状に成形されてなる。封止部材４３は、対向部４３ｃ及び端部４３ｄ，４３ｅで断面コ字状に形成されてなる封止部４３ａと、封止部４３ａから延出された引っ張り部４３ｂとで一体成形してなる。収容部４１、クッション当接部材４２及び封止部材４３の各材質は、第１形態と同様である。
【００３０】
以上のように構成された目薬容器４０は、収容部４１の注出口部４１ｊに封止部４３ａの各端部４３ｄ及び４３ｅをスポットで接着させることで、収容部４１の第１及び第２の注出口４１ｄ，４１Ｄを封止部４３ａで塞ぎ、収容部４１の注出路側端部４１ｉがクッション当接部材４２の溝部４２ａに挿し込まれ、収容部４１にクッション当接部材４２が装着される。また、各注入口から対応する目薬液を注入し各注入路４１ｂ，４１Ｂを経由して対応する空間１１ａ，１１Ａに目薬液が収容され、注入口が熱処理により密閉される。
【００３１】
よって、使用者は、目薬容器４０から封止部材４３を取り外し、使用者は瞼を閉じて目頭にクッション当接部材４２の開口側を宛がい、収容部４１の各膨出部４１ｆ，４１Ｆを指で押圧する。すると、各膨出部４１ｆ，４１Ｆが窪んでそれぞれ空間４１ａ、Ａ内の目薬液が各注出路４１ｃ，４１Ｃを経由して各注出口４１ｄ，４１Ｄ及びクッション当接部材４２の中空部４２ｂに流れ、この中空部４２ｂで第１の目薬液と第２の目薬液とが混合されて開口４２ｃから流出し、使用者の目頭に流れ込む。よって、目頭に注がれた目薬液は瞬きをすることで眼球表面に広がるので、簡単に目薬液をさすことができる。
以上の第４形態は第１形態を変形したタイプであるが、第２形態を同様に変形しても得ることができる。
【００３２】
次に、両眼に略同時に目薬液をさすことができる目薬容器について第５形態として説明する。
図１３は、第５形態に係る目薬容器５０を示すもので、（Ａ）は斜め上方からの斜視図、（Ｂ）は斜め下方からの斜視図である。図１４（Ａ）は図１３に示す目薬容器５０の平面図、（Ｂ）はＸ９−Ｘ1０に沿う断面図、（Ｃ）は底面図である。
第５形態に係る目薬容器５０は、左眼用目薬液を収容するための第１空間５１ａ及び右眼用目薬液を収容するための第２空間５１Ａを画成し、第１空間５１ａの目薬液を注出する第１注出路５１ｃ及び第２空間５１Ａ内の目薬液を注出する第２注出路５１Ｃを形成した収容部５１と、収容部５１の左側注出口５１ｄ及び右側注出口５１Ｄを臨んで各両端部裏面に装着された左右一対のクッション当接部材５２と、収容部５１の左側注出口５１ｄ及び右側注出口５１Ｄをそれぞれ塞ぐ封止部材５３とからなる。
【００３３】
収容部５１は、図１４に示すよう、帯状の基部５４と、基部５４とで第１空間５１ａ及び第２空間５１Ａ並びに第１注出路５１ｃ及び第２注出路５１Ｃを画成する被覆部５５とを貼り合わせて成る。基部５４には左端部に左側注出口５１ｄと右端部に右側注出口５１Ｄとがそれぞれ開口されている。被覆部５５は略帯状で、左右対称面を挟んで第１空間５１ａの第１画壁部５５ａと第２空間５１Ａの第２画壁部５５Ａとを形成するよう表側に半楕円球面状に大きく膨出すると共に、第１画壁部５５ａの左端から左側溝形成壁５５ｂを延設し、第２画壁部５５Ａの右端から右側溝形成壁５５Ｂを延設してなる。よって、収容部５１は、基部５４と被覆部５５とを貼り合わせることで、左右中心面から左側にて第１画壁部５５ａと基部５４で第１空間５１ａを形成し、左側溝形成壁５５ｂと基部５４とで第１注出路５１ｃを形成する一方、左右中心面から右側にて第２画壁部５５Ａと基部５４とで第２空間５１Ａを形成し、右側溝形成壁５５Ｂと基部５４とで第２注出路５１Ｃを形成する。ここで、基部５４は、第１注出路５１ｃの左端部には左側注出口５１ｄを開口し、第２注出路５１Ｃの右端部には右側注出口５１Ｄを開口している。
【００３４】
左右一対のクッション当接部材５２は略円筒形状で、断面半球面状に丸みを呈して全周方向に対して周設した壁部５２ｄで中空部５２ｂが形成され、中空部５２ｂ先端が開口５２ｃを形成する。クッション当接部材５２の中空部５２ｂが左右の各注出口５１ｄ及び５１Ｄを臨むように円筒底面が基部５４の裏面に接着される。
【００３５】
封止部材５３は、収容部５１の各注出口５１ｄ，５１Ｄを封止するよう屈曲して片状に成形されてなる。封止部材５３は、注出口５１ｄ，５１Ｄを塞ぐように基部裏面に接着される封止部５３ａと、封止部５３ａの端から斜めに傾斜した傾斜部５３ｂと、傾斜部５３ｂの端から封止部５３ａに並行に延設された引っ張り部５３ｃとで一体成形してなる。なお、収容部５１、クッション当接部材５２及び封止部材５３の各材質は、第１形態と同様である。
【００３６】
以上のように目薬容器５０が構成され、第１空間５１ａ及び第２空間５１Ａに目薬液をそれぞれ収容し、封止部材５３の封止部５３ａを各注出口５１ｄ，５１Ｄで塞ぎ、クッション当接部材５２の開口５２ｃから左右両側に向けて引っ張り部５３ｃが延設するように配置される。
【００３７】
図１５は、第５形態に係る目薬容器５０の使用方法を示す概略図である。
使用者は、先ず目薬容器５０の引っ張り部５３ｃを手にして収容部５１から封止部材５３を引き剥がし、左右の注出口５１ｄ，５１Ｄを露出させる。次に、使用者は瞼を閉じて左右のクッション当接部材５２，５２を左右の目頭１００，１００に宛がい、収容部５１の左右の膨出した画壁部５５ａ，５５Ａを指で押圧しつつ、収容部５１の中心部が折り重なるようにする。すると、第１空間５１ａ内の目薬液が注出路５１ｃを流れ、注出口５１ｄに連設されたクッション当接部材５２の中空部５２ｄを経由して中空５２ｃから左の目頭内に注入される。同時に、第２空間５１Ａ内の目薬液が注出路５１Ｃを流れ、注出口５１Ｄに連設されたクッション当接部材５２の中空部５２ｄを経由して中空５２ｃから右の目頭内に注入される。よって、目頭１００，１００に注がれた目薬液は瞬きにより眼球表面に広がるので、簡単に目薬液をさすことができる。
【００３８】
以上各形態を説明したが、本発明は特許請求の範囲に記載した発明の範囲内で自由に変更実施することができる。例えば、収容部の外形は図示した場合に限らず、例えば子供用であれば子供に人気のあるキャラクターの形状とすることで、幼児は機嫌よく目薬をさすことができる。
【図面の簡単な説明】
【００３９】
【図１】本発明の第１形態に係る目薬容器を示し、（Ａ）は斜め上方からの斜視図、（Ｂ）は逆斜め上方からの斜視図である。
【図２】図１に示す目薬容器の分解斜視図である。
【図３】（Ａ）は図１に示す目薬容器の平面図、（Ｂ）はＸ１−Ｘ２線に沿う断面図である。
【図４】図１に示す目薬容器の使用方法を説明する概略図である。
【図５】本発明の第２形態に係る目薬容器を示した斜視図である。
【図６】図５に示す目薬容器の分解斜視図である。
【図７】（Ａ）は図５に示す目薬容器の平面図、（Ｂ）はＸ３−Ｘ４線に沿う断面図である。
【図８】本発明の第３形態に係る目薬容器の断面図である。
【図９】第４形態に係る目薬容器を示し、（Ａ）は斜め上方からの斜視図、（Ｂ）は逆斜め上方からの斜視図である。
【図１０】図９に示す目薬容器の分解斜視図である。
【図１１】（Ａ）は図９に示す目薬容器の平面図、（Ｂ）は側面図である。
【図１２】（Ａ）はＸ５−Ｘ６線に沿う断面図、（Ｂ）はＸ７−Ｘ８線に沿う断面図である。
【図１３】第５形態に係る目薬容器を示し、（Ａ）は斜め上方からの斜視図、（Ｂ）は斜め下方からの斜視図である。
【図１４】（Ａ）は図１３に示す目薬容器の平面図、（Ｂ）はＸ９−Ｘ1０に沿う断面図、（Ｃ）は底面図である。
【図１５】第５形態に係る目薬容器の使用方法を示す概略図である。
【符号の説明】
【００４０】
１０，２０，３０，４０，５０：目薬容器
１１，２１，３１，４１，５１：収容部
１１ａ，２１ａ，３１ａ，４１ａ，４１Ａ，５１ａ，５１Ａ：空間
１１ｂ，２１ｂ，４１ｂ，４１Ｂ：注入路
１１ｃ，２１ｃ，４１ｃ，４１Ｃ，５１ｃ，５１Ｃ：注出路
１１ｄ，２１ｄ，４１ｄ，４１Ｄ，５１ｄ，５１Ｄ：注出口
１１ｅ，２１ｅ，４１ｅ，５４：基部
１１ｆ，２１ｆ，４１ｆ，４１Ｆ：膨出部
１１ｇ，２１ｇ，４１ｇ，４１Ｇ：注入路形成部
１１ｈ，２１ｈ，４１ｈ，４１Ｈ：注出路形成部
１１ｉ，２１ｋ，４１ｉ：注出路側端部
１２，２２，３２，４２，５２：クッション当接部材
１２ａ，２２ａ，３２ａ，４２ａ，５２ａ：溝部
１２ｂ，２２ｂ，３２ｂ，４２ｂ，５２ｂ：中空部
１２ｃ，２２ｃ，３２ｃ，４２ｃ，５２ｃ：開口
１２ｄ，２２ｄ，３２ｄ，４２ｄ，５２ｄ：壁部
１３，２３，３３，４３，５３：封止部材
１３ａ，２３ａ，３３ａ，４３ａ，５３ａ：封止部
１３ｂ，４３ｂ，５３ｃ：引っ張り部
１３ｃ：対向部
１３ｄ，１３ｅ：端部
２１ｉ，３５ｂ：受け部
２１ｊ：切り欠け部
２３ｂ：軸部
２３ｃ：持ち手部
３１ｂ：流路
３２ａ：装着部
３３：キャップ部
３４：容器本体
３４ａ：頸部
３５：流路形成部
３５ａ：接続部
３５ｃ：鍔部
４１ｊ：注出口部
５３ｂ：傾斜部
５５：被覆部
５５ａ，５５Ａ：画壁部
５５ｂ，５５Ｂ：溝形成壁
１００：目頭
【図１】
2008036096.tif 000003
【図２】
2008036096.tif 000004
【図３】
2008036096.tif 000005
【図４】
2008036096.tif 000006
【図５】
2008036096.tif 000007
【図６】
2008036096.tif 000008
【図７】
2008036096.tif 000009
【図８】
2008036096.tif 000010
【図９】
2008036096.tif 000011
【図１０】
2008036096.tif 000012
【図１１】
2008036096.tif 000013
【図１２】
2008036096.tif 000014
【図１３】
2008036096.tif 000015
【図１４】
2008036096.tif 000016
【図１５】
2008036096.tif 000017